(57)【要約】【課題】家畜汚水臭気処理システム【解決手段】レベルセンサ１８を内部に設けた汚水貯蔵タンク１に、家畜汚水送入口４、電磁弁５と空気吸入管６Ａ、電磁弁８、空気吸入用ファン７、電磁弁１０、及びバリアプラズマオゾン発生装置９、等をオゾン配出口群９Ｄを有するオゾン配出管群９Ｂ、９Ｃを接続したオゾン送出管９Ａと、排気センサ１４に接続した排気用ファン１３、電磁弁１２、１５、フィルタ１６、及び排気口１７と、電磁弁１９、フィードバック管１９Ａ、排気用フィルタ１１と電磁弁２３、汚水センサ２５、排水用ポンプ２４、電磁弁２６、及び排水口２７、等を接続したことと、（＋）電極２１、（−）電極２２を接続端子２１Ａ、２２Ａを通して、自動制御装置２０に接続し、電磁弁５、８、１０、１２、１５、１９、２３、２６、及び排気センサ１４、レベルセンサ１８、等を自動制御装置２０に接続したことである。【選択図】図１
2005342700.tif 000002
【特許請求の範囲】
【請求項１】
汚水貯蔵タンク（１）の内部に、汚水（２）を送入する汚水送入管（４Ａ）を接続し、この汚水送入管（４Ａ）に電磁弁（５）と家畜汚水送入口（４）とを接続し、前記汚水貯蔵タンク（１）の内部にオゾン配出口群（９Ｄ）を設けたオゾン配出管群（９Ｂ、９Ｃ）を接続したオゾン送出管（９Ａ）にバリアプラズマオゾン発生装置（９）を接続し、このバリアプラズマオゾン発生装置（９）に電磁弁（８）を接続し、この電磁弁（８）に空気吸入管（６Ａ）と空気吸入口（６）とを接続し、前記電磁弁（５、８）と電磁弁（１０）とバリアプラズマオゾン発生装置（９）と電気吸入用ファン（７）とを自動制御装置（２０）に電気的に接続した家畜汚水臭気処理システム。
【請求項２】
汚水貯蔵タンク（１）の内部に適任金属材からなる（＋）電極（２１）と（−）電極（２２）を任意間隔に設け、この（＋）電極（２１）と（−）電極（２２）とを電気的に自動制御装置（２０）に接続し、（＋）電極（２１）と（−）電極（２２）間に発生した起電圧を自動制御装置（２０）に加えて、前記空気吸入用ファン（７）の回転と前記バリアプラズマオゾン発生装置（９）のオゾン発生量とを制御する電気回路を有する家畜汚水臭気処理システム。
【請求項３】
家畜汚水貯蔵タンク（１）に接続された排気用フィルタ（１１）に排気管（１２Ａ）を接続し、この排気管（１２Ａ）に電磁弁（１２）を接続し、この電磁弁（１２）に排気用ファン（１３）と排気センサ（１４）とを接続、この排気センサ（１４）に電磁弁（１５、１９）を接続し、電磁弁（１５）にフィルタ（１６）を接続、このフィルタ（１６）に排気口（１７）を設け、前記排気センサ（１４）と電磁弁（１５、１９）を自動制御装置（２０）に電気的に接続し、前記排気センサ（１４）の電気出力により、電磁弁（１９）及び電磁弁（１５）が交互に開閉作動特性とし、前記排気用ファン（１３）からのフィードバック排気を前記電磁弁（１９）とフィードバック管（１９Ａ）を通して、前記汚水貯蔵タンク（１）に排出される特徴を有する家畜汚水臭気処理システム。
【請求項４】
汚水貯蔵タンク（１）に接続した排水管（２４Ａ）に汚水センサ（２５）を接続し、この汚水センサ（２５）に排水用ポンプ（２４）を接続し、この排水用ポンプ（２４）に電磁弁（２６）を接続、この電磁弁（２６）に排水口（２７）を接続し、前記排水用ポンプ（２４）と排水センサ（２５）とを電気的に自動制御装置（２０）に接続し、前記排気センサ（２５）の電気的出力により電磁弁（２６）が、開閉作動特性を有し、前記電磁弁（２３）を前記（＋）電極（２１）と（−）電極（２２）間に発生した任意の最低起電圧値により開閉作動特性を有した家畜汚水臭気処理システム。
【発明の詳細な説明】
【技術分野】
【０００１】  本発明は、家畜汚水臭気処理システムに関する。
【背景技術】
【０００２】  従来、家畜の汚水及び汚水から発生する臭気の処理には、吸着法があり、汚水には洗浄法が使用されていたが、臭気の吸着法には、主に活性炭などの吸着材に臭気を吸着させているが、吸着材の定期的交換と、吸着剤に使用した活性炭の後処理が必要な問題があった。又、汚水の洗浄法には、臭気発生汚水と液体反応材との中和反応があるが、処理後の廃液処理が必要となり、経済的には良策とはいえず、多量の場合は、完全な処理はできない欠点があった。又、オゾンの利用法もあるが、オゾン発生量を臭気の量に応じて自動的に制御することはできない現状である。多くオゾンを注入したからといって、決して経済的なことではない。
【発明の開示】
【発明が解決しようとする課題】
【０００３】  大量の家畜の汚水の貯蔵タンク内から発生する臭気を除臭すると共に、汚水の浄化をすることである。
【課題を解決するための手段】
【０００４】  家畜汚水貯蔵タンク内の上部空間部と汚水貯蔵タンクの底部に、バリア放電からなるプラズマによるバリアプラズマオゾン発生装置から発生したオゾンを注入し、汚水内部に（＋）電極と（−）電極を任意間隔で設け、（＋）電極と（−）電極間の起電圧に従って、汚水から発生する主な臭気である、メタン、アミン、硫化水素、等を減少するためのオゾン発生量を自動制御することと、汚水中の臭気発生有機物質の減少及び滅菌をすることである。
【発明の効果】
【０００５】  本発明は以上説明したようなシステムにより、家畜汚水臭気の処理をすることにより、外部へ安心して排気、排水ができる利点を有する。
【発明を実施するための最良の形態】
【０００６】  発明の実施の形態を図１、図２、図３、及び図４を参照して説明する。家畜の汚水貯蔵タンク１に接続してあるレベルセンサ１８で汚水２の上面が感知されないと、自動制御装置２０により電磁弁５が開き、家畜汚水投入口４から汚水が送り出され、レベルセンサ１８が汚水の上面レベルを感知すると自動制御装置２０により電磁弁５が閉められる。次に汚水貯蔵タンク１の内部に設けてある（＋）電極２１と（−）電極２２間に発生した起電圧を自動制御装置２０に伝えられると、（＋）電極２１と（−）電極２２間に発生した起電力の値によって、空気吸入口６から自動制御装置２０により電磁弁８が開けられ、空気吸入用ファン７が回転してバリアプラズマオゾン発生装置９に（＋）電極２１と（−）電極２２の起電圧に関係した空気量が吸入される。次に、バリアプラズマオゾン発生装置９から発生したオゾンは、電磁弁１０が開いて、オゾン送出管９Ａを経て、汚水貯蔵タンク１の上部の空間部３と汚水２の内部にオゾン排出管９Ｂ、９Ｃを経て、臭気成分のある空間部３と汚水２の内部に配出される。この場合、電磁弁１２、１５、１９、２３、等は閉じられている。オゾンが送られている間、（＋）電極２１と（−）電極２２間の起電力に変化が無い場合は、汚水２の内部に含まれている各種の有機物質の臭気を出す量が多く含まれていることになり、空気吸入用ファン７は最大量の空気をバリアプラズマオゾン発生装置９に吸入され続けると共に、バリアプラズマオゾン発生装置９より汚水貯蔵タンク１の内部の空間部３と汚水２内部にオゾンを排出され続けられる。空間部３内にある臭気の成分は、排出されたオゾンにより分解され、臭気が減少していくと共に、汚水２の内部にもオゾン排出管群９Ｃの各管に設けてある各配気口群９Ｄから配出されるオゾンにより、臭気となる有機物質が酸化されて、臭気性を順次減少すると共に、汚水２中に含まれている各種の菌を殺菌することができる。【０００７】  オゾンを汚水貯蔵タンク１内に配出し続けて、（＋）電極２１と（−）電極２２間に発生する起電圧が減少し、任意時間中、同一起電圧を保持している時に、電磁弁１２が自動制御装置２０で開けられ、フィルタ１１及び排気管１２Ａを通して、排気用ファン１３が作動して、排気センサ１４に汚水貯蔵タンク１の空間部３のオゾン処理気体が吸出される。この場合、排気センサ１４により排気の臭気性が規制値以下の場合は、電磁弁１５が自動制御装置２０で作動させられ、汚水貯蔵タンク１のオゾン処理をされた気体がフィルタ１６を通過して、排気口１７より外部に排出される。【０００８】  フィルタ１１を経て、排気用ファン１３によって汚水貯蔵タンク１からの排気が排気センサ１４に到達して、排気に含まれる臭気が規制値以上、又は規定値以上の場合は、自動制御装置２０により、直ちに電磁弁１５が作動して、外部に排気が排出しないように作動する。この場合、電磁弁１９が開き、排気を汚水貯蔵タンク１の空間部３にフィードバックさせて、もう一度、オゾン気体に臭気分子を分解するようにする。従って、このフィードバックにより、完全に脱臭した排気のみを外部に放出することができる。【０００９】  汚水２中に、アンモニア、メチルメルカプタン、硫化水素���硫化メチル、二硫化メチル、及びその他の物質が含有されていると、汚水２は電気的に良導体と電解性を有しており、一例として（＋）電極２１に銅材、（−）電極２２にアルミニウム材を使用した場合、（＋）、（−）両電極間に約０．５６Ｖの電圧が発生する。この発生した起電圧を自動制御装置２０に与えると、自動制御装置２０は、この起電圧０．５６Ｖをもって、バリアプラズマオゾン発生装置９は、０．５６Ｖに比例したオゾン発生量を汚水貯蔵タンク１の内部に配出する。従って、汚水２の内部にある臭気発生物質が減少していくに従って、汚水１の電解特性が減少していき、（＋）電極２１と（−）電極２２間の起電圧も減少していく。終端値には０．１５Ｖとなり、汚水２の臭気発生物質が分解して、通常の水に近くなることより、汚水２がオゾンにより浄化されたことになる。【００１０】  従って、（＋）電極２１と（−）電極２２間の起電圧が０．１５Ｖになった時に、自動制御装置２０が作動して、電磁弁２３が開き、汚水センサ２５に排水が来ると規制値以下、又は任意の規定値以下の値を示すと、電磁弁２６が開き、排水用ポンプ２４が作動して、排水口２７を経て外部に排出される。この場合、汚水２の排水の汚度が規制値以上又は、任意の規定値以上の場合は、電磁弁２３及び２６は、自動制御装置２０で閉状態となり、外部に排出することを停止する。以上の作動により、汚水２の処理と汚水２から発生した臭気の処理を同時にすることができると共に、外部へは有害な臭気及び汚水を排出することはない。
【図面の簡単な説明】
【００１１】
【図１】家畜汚水臭気処理システムの構成図である。
【図２】汚水貯蔵タンクの内部に設けるオゾン送出管及びオゾン配出管群を示す斜視図である。
【図３】（＋）及び（−）の電極を示す斜視図である。
【図４】オゾン送出管及びオゾン排出管群と（＋）電極と（−）電極との組み合せを示す斜視図である。
【符号の説明】
【００１２】１  汚水貯蔵タンク
２  汚水
３  空間部
４  家畜汚水送入口
４Ａ  汚水送入管
５  電磁弁
６  空気吸入口
６Ａ  空気吸入管
７  空気吸入用ファン
８  電磁弁
９  バリアプラズマオゾン発生装置
９Ａ  オゾン送出管
９Ｂ  オゾン配出管群
９Ｃ  オゾン配出管群
９Ｄ  オゾン配出口群
１０  電磁弁
１１  排気用フィルタ
１２  電磁弁
１２Ａ  排気管
１３  排気用ファン
１４  排気センサ
１５  電磁弁
１６  フィルタ
１７  排気口
１８  レベルセンサ
１９  電磁弁
１９Ａ  フィードバック管
２０  自動制御装置
２１  （＋）電極
２１Ａ  接続端子
２２  （−）電極
２２Ａ  接続端子
２３  電磁弁
２４  排水用ポンプ
２４Ａ  排水管
２５  汚水センサ
２６  電磁弁
２７  排水口
【図１】
2005342700.tif 000003
【図２】
2005342700.tif 000004
【図３】
2005342700.tif 000005
【図４】
2005342700.tif 000006